(57)【要約】【課題】手で持ちながら使用可能な新規のキーボードを提供する。【解決手段】少なくとも裏面に開口を有する指挿通孔を備えることを特徴とするキーボード。【選択図】図２
2020135050.tif 000002
【特許請求の範囲】
【請求項１】
少なくとも裏面に開口を有する指挿通孔を備えることを特徴とする、キーボード。
【請求項２】
前記指挿通孔が、表裏を貫く貫通孔であることを特徴とする、請求項１に記載のキーボード。
【請求項３】
被上腕支持部を備えることを特徴とする、請求項１又は２に記載のキーボード。
【請求項４】
前記被上腕支持部が、上腕を当嵌できる形状の切り欠きであることを特徴とする、請求項３に記載のキーボード。
【請求項５】
前記被上腕支持部に、上腕とキーボードを固定する上腕固定部材を備えることを特徴とする、請求項３又は４に記載のキーボード。
【請求項６】
前記指挿通孔と前記被上腕支持部とが１０ｃｍ以上の距離をもって離間していることを特徴とする、請求項３〜５の何れか一項に記載のキーボード。
【請求項７】
前記キーボードが２以上のユニットを含み、
ユニット同士が、折り畳み可能又はスライド可能に連結されていることを特徴とする、請求項１〜６の何れか一項に記載のキーボード。
【請求項８】
裏面にグリップが設けられていることを特徴とする、請求項１〜７の何れか一項に記載のキーボード。
【請求項９】
前記グリップがトラックボール及び／又はクリックボタンを備えることを特徴とする、請求項８に記載のキーボード。
【請求項１０】
前記グリップが着脱可能に設けられていることを特徴とする、請求項８又は９に記載のキーボード。
【請求項１１】
前記グリップ表面に指を当嵌できる凹弧溝が設けられており、前記グリップが回動可能に設けられていることを特徴とする、請求項８〜１０の何れか一項に記載のキーボード。
【発明の詳細な説明】
【技術分野】
【０００１】
本発明はキーボードに関する。
【背景技術】
【０００２】
通常、文字入力用のキーボードは机上に静置して用いるものである。近年は人間工学に基づいて形状やキーボタン配置が設計された使いやすいキーボードが多数提案されている。
従来の一般的なキーボードは机上で用いることを前提としている。それ故、机上に書類等の物品が置いてある場合や、そもそもキーボードを静置するための机の無い野外などでは、使用が困難となる。
【０００３】
このような状況から、机に静置することなく手で持ちながら使用することができる手持ち型のキーボードが提案されている。
例えば、特許文献１には、両手で保持するためのグリップ部が、左右の両端部のそれぞれから手前側に突出するように設けられた親指入力用キーボードが開示されている。
【先行技術文献】
【特許文献】
【０００４】
【特許文献１】特開２００５−１３４９７０号公報
【発明の概要】
【発明が解決しようとする課題】
【０００５】
本発明の課題は、手で持ちながら使用可能な新規のキーボードを提供することにある。
【課題を解決するための手段】
【０００６】
上記課題を解決する本発明は、少なくとも裏面に開口を有する指挿通孔を備えることを特徴とする、キーボードである。
本発明のキーボードは、キーボードの裏面から指を挿通することにより保持することができる。すなわち、本発明のキーボードは、あたかも絵画用のパレットを用いるかの如く片手で保持することができ、空いたもう片方の手によりキータッチが可能となる。
【０００７】
本発明の好ましい形態では、前記指挿通孔が、表裏を貫く貫通孔であることを特徴とする。
かかる形態のキーボードの使用時においては、キーボード裏面より挿通した指がキーボード表面に露出することとなる。表面より露出した指部分で、キーボードを表面からしっかり把持することができる。つまり、かかる形態を採ることにより、より安定してキーボードを保持することが可能となる。
【０００８】
本発明の好ましい形態では、前記指挿通孔が、キーボタン配置領域の範囲内又は奥方に設けられていることを特徴とする。
キーボードの使用時には、指挿通孔に挿通した指が支点、キータッチにより押圧されたキーボタンが力点となり、テコの原理で多少のぐらつきが生じる。
支点として作用する指挿通孔を、手前側ではなくキーボタン配置領域の範囲内又は奥方に設けることにより、テコの原理によるぐらつきを、指挿通孔に挿通した指のある方の掌により抑えることができる。すなわち、かかる形態を採ることにより、安定したキーボード操作が可能となる。
【０００９】
本発明の好ましい形態では、被上腕支持部を備えることを特徴とする。
かかる形態のキーボードは、指挿通孔と被上腕支持部の２点により支持しながら使用することができ、安定したキーボード操作を可能とする。
【００１０】
本発明の好ましい形態では、前記被上腕支持部が、上腕を当嵌できる形状の切り欠きであることを特徴とする。
被上腕支持部を切り欠き形状とすることにより、上腕による支持の安定性をさらに向上させることができ、より安定したキーボード操作が可能となる。
【００１１】
本発明の好ましい形態では、前記被上腕支持部に、上腕とキーボードを固定する上腕固定部材を備えることを特徴とする。
このように上腕固定部材を設けることにより、使用時におけるキーボードと上腕のズレを防止することができ、安定した使用性を実現することができる。
【００１２】
本発明の好ましい形態では、前記指挿通孔と前記被上腕支持部とが１０ｃｍ以上の距離をもって離間していることを特徴とする。
このように指挿通孔と被上腕支持部に一定の距離をもたせることにより、無理なくキーボードを支持することができる。
【００１３】
本発明の好ましい形態では、前記キーボードが２以上のユニットを含み、ユニット同士が、折り畳み可能又はスライド可能に連結されていることを特徴とする。
折り畳み型又はスライド型の形状とすることで、持運び時や収納時など非使用時における利便性が向上する。
【００１４】
本発明の好ましい形態では、裏面にグリップが設けられていることを特徴とする。
指挿通孔の他、グリップを備える形態とすることにより、使用者にとってフレキシブルな使用態様が可能となる。
【００１５】
本発明の好ましい形態では、前記グリップがトラックボール及び／又はクリックボタンを備える。
本形態のようにグリップにマウスとしての機能を設けることにより、一層の操作性の向上を図ることができる。
【００１６】
本発明の好ましい形態では、前記グリップが着脱可能に設けられている。
グリップを着脱可能とすることにより、グリップ不使用時にはこれを外し、キーボードを机上に置いて使用することが可能となる。
【００１７】
本発明の好ましい形態では、前記グリップ表面に指を当嵌できる凹弧溝が設けられており、前記グリップが回動可能に設けられていることを特徴とする。
このように凹弧溝をグリップに設けることにより、把持した際にグリップが手に馴染み、操作性が向上する。また、グリップが回動するため、使用者の体に対しキーボードをどのような角度で保持する場合にも、手に馴染んだ状態でグリップを把持して使用することができる。
【発明の効果】
【００１８】
本発明のキーボードは、片手で保持しながら、空いたもう片方の手によりキータッチが可能である。本発明によれば、机上に置いて使用する従来のキーボードとは異なり、机の無い環境下での使用が可能なキーボードを提供することができる。
【図面の簡単な説明】
【００１９】
【図１】実施例のキーボードの平面（ａ）、および側面（ｂ）を表す図である。
【図２】実施例のキーボードの使用状態を表す図である。
【図３】実施例のキーボードを折り畳む様子を表す図である。
【図４】実施例のキーボードの裏面にグリップを装着する前（ａ）および後（ｂ）の状態を表す図である。
【発明を実施するための形態】
【００２０】
以下、本発明の実施の形態について適宜図面を参照しながら説明を加えるが、本発明の技術的範囲は以下の実施の形態に限定されない。
【００２１】
キーボード１０は指挿通孔２を備える（図１（ａ））。使用時においては、キーボード１０の裏面から表面の方向に向けて、親指を指挿通孔２に挿通させて用いる（図１（ｂ））。つまり、キーボード１０は、絵具用のパレットを保持するかの如く、片手で保持することができる（図２）。
【００２２】
図１に示すように、指挿通孔２は表裏を貫く貫通孔の形態をとる。そのため、キーボード１０の裏面より挿通した親指がキーボード１０の表面に露出することとなる（図１（ｂ）、図２）。この表面より露出した親指部分で、キーボード１０を表面からしっかり把持することができ、安定してキーボードを保持することが可能となる（図１（ｂ）、図２）。
【００２３】
なお、指挿通孔２は、使用時にキーボード１０の裏面から表面の方向に向けて、親指を挿通させることができれば、特に図１に示す形態に限定されない。少なくともキーボード１０の裏面に開口を有する形態であれば十分であり、キーボード１０の表側において指挿通孔２が塞がっていてもよい。
【００２４】
また、本実施例においては、親指を挿通するための１つの指挿通孔２のみが設けられている形態をとる（図１（ｂ））。しかし、指挿通孔２の数はこれに限定されず、親指〜小指から選ばれる２以上の指を挿通するための２以上の指挿通孔２を設けてもよい。
【００２５】
本実施例において指挿通孔２は、キーボード１０の水平方向については空間的に閉じた形態をとるが（図１（ａ））、指挿通孔２はこの形態に限定されない。例えば、指挿通孔２は、キーボード１０の側面に開放していてもよい。
【００２６】
キーボード１０における指挿通孔２の位置は限定されないが、特に指挿通孔２を、キーボタン１２が配置された領域（キーボタン配置領域）の範囲内か奥方に設けることが好ましい。特に好ましくは、図１（ａ）に示すように、キーボタン配置領域の奥方に指挿通孔２を設けることが好ましい。
キーボード１０の使用時には、指挿通孔２に挿通した親指が支点、キータッチにより押圧されたキーボタン１２が力点となり、テコの原理で多少のぐらつきが生じる。
支点として作用する指挿通孔２を、キーボタン配置領域の手前側ではなく、範囲内か奥方に設けることにより、テコの原理によるぐらつきを、指挿通孔２に挿通した親指のある方の掌により抑えることができる（図２）。
【００２７】
キーボード１０の側面には、上腕により支持を受ける被上腕支持部３が設けられている（図１（ａ））。これにより、キーボード１０は、指挿通孔２と被上腕支持部３の２点により支持しながら使用することができる。
【００２８】
本実施形態において被上腕支持部３は、上腕を当嵌できる形状の切り欠きである（図１（ａ））。これにより、キーボード１０は、上腕による支持安定性に優れ、高い操作性を有する（図２）。
【００２９】
被上腕支持部３の形態は切り欠き状に限られず、上腕によるキーボード１０の支持を可能にする形態であればよい。
例えばキーボード１０の底部に、上腕を当嵌するための凹弧溝を備える立体構造を備えてもよい。
また、特段の立体形状を有する形態でなく、キーボード１０の平坦な側面を被上腕支持部３として設計することも可能である。
【００３０】
使用時におけるキーボード１０と上腕とのズレを防止するため、被上腕支持部３に上腕とキーボード１０を固定する上腕固定部材を設けてもよい。上腕固定部材としては、上腕に締着するためのベルト材、ヒモ材、バンド材などの締着部材を採用することができる。
締着部材には、上腕への締着と開放を容易ならしめるための脱着可能な連結部材を設けてもよい。連結部材としては、ピンバックルや布ベルト用バックル、テープアジャスターバックルなどを例示することができる。
【００３１】
また、被上腕支持部３に上腕固定部材として面ファスナーを設け、上腕に別途装着した対応する面ファスナーに係合させて固定する形態としてもよい。
【００３２】
また、被上腕支持部３にゴムやシリコーン製の滑り止めを設け、使用時におけるキーボード１０と上腕との間のズレを防止するような形態としてもよい。
【００３３】
図２に示すように、本実施例のキーボード１０の使用時においては、腕を折り曲げる必要がある。指挿通孔２と被上腕支持部３とが過度に近接していると、キーボード１０を保持する際に必要な腕の折り曲げ角度が極端に狭くなってしまい窮屈となる。そのため、人間工学上の観点から、指挿通孔２と被上腕支持部３との間には一定以上の距離を設けることが好ましい。
【００３４】
指挿通孔２と被上腕支持部３との間の距離としては、好ましくは５ｃｍ以上、より好ましくは１０ｃｍ以上、さらに好ましくは１５ｃｍ以上、さらに好ましくは２０ｃｍ以上が例示できる。
【００３５】
また、キーボード１０のサイズ上の観点から、指挿通孔２と被上腕支持部３との間の距離は、好ましくは５０ｃｍ以下、より好ましくは４０ｃｍ以下である。
【００３６】
本実施例のキーボード１０は、第１ユニット１０１と第２ユニット１０２からなる（図１（ａ））。そして、第１ユニット１０１と第２ユニット１０２とは、ヒンジ１１により折り畳み可能に連結されている（図３）。
【００３７】
本実施例においては、第１ユニット１０１と第２ユニット１０２の何れにもキーボタン１２が配置されている（図１（ａ））。
しかし、キーボード１０の手前側に位置する第１ユニット１０１のみにキーボタン１２を配置し、奥方側に位置する第２ユニット１０２には指挿通孔２のみを設ける形態としてもよい。
【００３８】
なお、第１ユニット１０１と第２ユニット１０２を、平行方向にスライド可能となるように、レール材などのスライド機構を介して、重ねて連結する形態としてもよい。
【００３９】
本実施例のキーボード１０には、裏面にグリップ４０が脱着可能に設けられている（図４）。つまり、指挿通孔２に親指を挿通することによる保持の他、キーボード１０はグリップ４０の把持によっても保持可能な構成となっている。
グリップ４０を把持して用いる場合であっても、被上腕支持部３との２点支持が可能であり、図２に示すような態様で使用可能であることは言うまでもない。
なお、本発明とは別の形態の発明として、指挿通孔２を設けず、グリップ４０による保持のみを可能とした構成も挙げられる。
【００４０】
グリップ４０と被上腕支持部３との間の距離に関しては、上述した指挿通孔２と被上腕支持部３との間の距離に関する技術的事項が妥当する。また、グリップ４０とキーボタン配置領域との位置関係についても、上述した指挿通孔２とキーボタン配置領域との位置関係に関する技術的事項が妥当する。
【００４１】
グリップ４０はキーボード１０の本体と脱着可能である（図４）。本実施例においては、キーボード１０の裏面にレール４３が設けられている。このレール４３に、グリップ４０の上部に設けられた対応する嵌合溝を滑入させることにより、グリップ４０をキーボード１０に装着することが可能となる(図４）。
【００４２】
図４（ａ）に示したレール４３は断面Ｔ字状である。また、これに対応するグリップ４０の上部の嵌合溝は断面Ｃ字状である。レール４３と嵌合溝の形態は図４（ａ）に示したものに限定されず、適宜設計することができる。
【００４３】
なお、本実施例においてレール４３はキーボード１０の裏面に突出しているが（図４（ａ））、その形態はこれに限られない。
すなわち、レール４３をキーボード１０の裏面に設けられた凹状溝の形態とし、これに対応する凸状部材をグリップ４０に設けてもよい。この形態であっても、グリップ４０の凸状部材をレール４３に滑入することで、グリップ４０をキーボード１０に装着することができる。
【００４４】
レール４３にはストッパーを設け、レール４３に滑入したグリップ４０が所定の位置で停止するように構成することが好ましい。
【００４５】
図４には、グリップ４０の着脱手段としてレール４３による構成を示したが、着脱手段はこれに限られない。例えば、グリップ４０に雄ネジ、キーボード１０の裏面に雌ネジを設け、グリップ４０をキーボード１０に螺着する形態としても構わない。
【００４６】
グリップ４０の形態は特に限定されないが、操作性向上の観点から、把持したときに手とグリップ４０が馴染むように、その表面に指を当嵌できる凹弧溝を設けることが好ましい。
凹弧溝の具体的形態は特に限定されず、人間工学上の設計指針に従い適宜設計することができる。
【００４７】
グリップ４０は回動可能な構成とすることが好ましい。より具体的には、キーボード１０の水平面に交わる位置関係にある直線を回転軸として、グリップ４０は回動可能な構成とすることが好ましい。
これにより、使用者の体に対しキーボードをどのような角度で保持する場合であっても、凹弧溝に指が嵌合した状態（手にフィットした状態）で、グリップ４０を把持して使用することができる。
【００４８】
また、グリップ４０は折り畳み可能な構成としてもよい。具体的には、使用時においては、図４（ｂ）に示すようにキーボード１０の裏面より起立した状態でグリップ４０を用いる。そして、不使用時においては、グリップ４０をキーボード１０の裏面に沿って寝かせることができるように、グリップ４０の根本（上部）にヒンジ機構を設けることができる。
【００４９】
グリップ４０の付け根近傍、より具体的にはグリップ４０を把持したときに親指で操作可能な位置にトラックボール４１が設けられている（図４）。これにより、別途マウスを用意することなく、グリップ４０に備えられたトラックボール４１を操作することで、ＰＣディスプレイ上のポインター操作が可能な構成となっている。
【００５０】
また、グリップ４０におけるトラックボール４１と相対する位置、より具体的にはグリップ４０を把持したときに人差し指で押圧可能な位置にクリックボタン４２が設けられている（図４）。これにより、別途マウスを用意することなく、グリップ４０に備えられたクリックボタン４２を操作することで、ＰＣディスプレイ上でのクリック操作が可能な構成となっている。
【００５１】
特許文献１に記載されているような、机に静置することなく手で持ちながら使用することができる従来型のキーボードは、小型化に伴いキーボタンの数が少なく設計されている。
一方、キーボード１０は指挿通孔２又はグリップ４０と、被上腕支持部３０の２点によって支持する構成をとるため、従来の手持ち型キーボードのような小型化を図らずとも、負担なく使用することができる。
【００５２】
そのため、キーボード１０の横幅は、好ましくは３０ｃｍ以上、より好ましくは３５ｃｍ以上、より好ましくは４０ｃｍ以上、より好ましくは４５ｃｍ以上とすることができる。
【００５３】
キーボード１０の横幅の上限は特に限定されないが、好ましくは６０ｃｍ以下、より好ましくは５５ｃｍ以下、さらに好ましくは５０ｃｍ以下を目安とすることができる。
【００５４】
また、本発明に係るキーボード１０に設けるキーボタン１２の数も特に限定されない。机に静置して用いる通常のキーボードと同じく、８０個以上、より好ましくは９０個以上、さらに好ましくは１００個以上のキーボタンを備える形態とすることができる。
【００５５】
より具体的には、キーボード１０は、英語圏で使われる基本のキーボード構成である１０１キーボード、日本語変換に関連するキーが５つ追加された１０６キーボード、「Ｗｉｎｄｏｗｓキー」など３つのキーが増えた１０９キーボードなど、キーボタンを１００個以上備える形態とすることができる。
【００５６】
このように机上で使用するタイプの通常のキーボードサイズ、キーボタン数に設計したとしても、キーボード１０は上述した２点支持による構成により、負担なく保持し使用することができる。
【００５７】
本発明のキーボード１０は、机に載置することなく使用することができるため、野外での使用に好適である。野外環境での使用性向上のため、本発明のキーボード１０は防水性であることが好ましい。防水性を実現するための防水機構としては公知の何れの機構を採用してもよい。
【００５８】
いうまでもないが、キーボード１０の操作（キーボタン１２のタッチ、トラックボール４１の操作、クリックボタン４２のクリック）による信号はコンピューター側に入力される。キーボード１０とコンピューター側の信号出力・入力手段は、公知の構成を制限なく採用することができる。
【００５９】
キーボード１０とコンピューターとの接続形式も特に限定されない。有線接続形式でもよいし、赤外線通信やＢｌｕｅｔｏｏｔｈなどの近距離無線通信を含む無線接続形式であってもよい。利便性の観点から、無線接続形式とすることが好ましい。
【００６０】
また、キーボード１０にコンピューターを内蔵し、さらにディスプレイを設ける形態としても構わない。このような形態とすることにより、タブレットやスマートホンのように気軽な使用態様が可能な、新規の情報処理デバイスを提供することができる。
この場合、ディスプレイとキーボード１０とを折り畳み可能に連結する形態とすることが好ましい。
【産業上の利用可能性】
【００６１】
本発明はキーボードに応用できる。
【符号の説明】
【００６２】
１０  キーボード
１０１  第１ユニット
１０２  第２ユニット
１１  ヒンジ
１２  キーボタン
２  指挿通孔
３  被上腕支持部
４０  グリップ
４１  トラックボール
４２  クリックボタン
４３  レール
【図１】
2020135050.tif 000003
【図２】
2020135050.tif 000004
【図３】
2020135050.tif 000005
【図４】
2020135050.tif 000006
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
キーボードの表裏を貫く貫通孔である指挿通孔を備え、
前記指挿通孔が、キーボードの使用時にキーボードの裏面から表面の方向に向けて、親指１本を挿通し、表面より露出した親指部分で、キーボードを表面から把持するためのものであり、
前記指挿通孔に挿通した親指のある方の掌によりキーボードを支え、該親指のある方の手のみでキーボードを保持可能に構成されていることを特徴とする、キーボード。
【請求項２】
前記指挿通孔が、親指１本のみを挿通可能なものであることを特徴とする、請求項１に記載のキーボード。
【請求項３】
前記指挿通孔が、キーボタン配置領域の範囲内又は奥方に設けられていることを特徴とする、請求項２に記載のキーボード。
【請求項４】
被上腕支持部を備えることを特徴とする、請求項１〜３の何れか一項に記載のキーボード。
【請求項５】
前記被上腕支持部が、上腕を当嵌できる形状の切り欠きであることを特徴とする、請求項４に記載のキーボード。
【請求項６】
前記被上腕支持部に、上腕とキーボードを固定する上腕固定部材を備えることを特徴とする、請求項４又は５に記載のキーボード。
【請求項７】
前記指挿通孔と前記被上腕支持部とが１０ｃｍ以上の距離をもって離間していることを特徴とする、請求項４〜６の何れか一項に記載のキーボード。
【請求項８】
前記キーボードが２以上のユニットを含み、
ユニット同士が、折り畳み可能又はスライド可能に連結されていることを特徴とする、請求項１〜７の何れか一項に記載のキーボード。
【請求項９】
裏面にグリップが設けられていることを特徴とする、請求項１〜８の何れか一項に記載のキーボード。
【請求項１０】
前記グリップがトラックボール及び／又はクリックボタンを備えることを特徴とする、請求項９に記載のキーボード。
【請求項１１】
前記グリップが着脱可能に設けられていることを特徴とする、請求項９又は１０に記載のキーボード。
【請求項１２】
前記グリップ表面に指を当嵌できる凹弧溝が設けられており、前記グリップが回動可能に設けられていることを特徴とする、請求項９〜１１の何れか一項に記載のキーボード。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
キーボードの表裏を貫く貫通孔である指挿通孔と、
被上腕支持部と、を備え、
前記被上腕支持部は、キーボタン配置領域の横方向に位置し、かつ、前記キーボードの横側面に備えられ、
前記指挿通孔が、キーボードの使用時にキーボードの裏面から表面の方向に向けて、親指１本を挿通し、表面より露出した親指部分で、キーボードを表面から把持するためのものであり、
前記指挿通孔に挿通した親指のある方の掌によりキーボードを支え、該親指のある方の手のみでキーボードを保持可能に構成されていることを特徴とする、キーボード。
【請求項２】
前記指挿通孔が、親指１本のみを挿通可能なものであることを特徴とする、請求項１に記載のキーボード。
【請求項３】
前記指挿通孔が、キーボタン配置領域の範囲内又は奥方に設けられていることを特徴とする、請求項２に記載のキーボード。
【請求項４】
前記被上腕支持部が、上腕を当嵌できる形状の切り欠きであることを特徴とする、請求項１〜３の何れか一項に記載のキーボード。
【請求項５】
前記被上腕支持部に、上腕とキーボードを固定する上腕固定部材を備えることを特徴とする、請求項１〜４の何れか一項に記載のキーボード。
【請求項６】
前記指挿通孔と前記被上腕支持部とが１０ｃｍ以上の距離をもって離間していることを特
徴とする、請求項１〜５の何れか一項に記載のキーボード。
【請求項７】
前記キーボードが２以上のユニットを含み、
ユニット同士が、折り畳み可能又はスライド可能に連結されていることを特徴とする、請求項１〜６の何れか一項に記載のキーボード。
【請求項８】
裏面にグリップが設けられていることを特徴とする、請求項１〜７の何れか一項に記載のキーボード。
【請求項９】
前記グリップがトラックボール及び／又はクリックボタンを備えることを特徴とする、請求項８に記載のキーボード。
【請求項１０】
前記グリップが着脱可能に設けられていることを特徴とする、請求項８又は９に記載のキーボード。
【請求項１１】
前記グリップ表面に指を当嵌できる凹弧溝が設けられており、前記グリップが回動可能に設けられていることを特徴とする、請求項８〜１０の何れか一項に記載のキーボード。